(57)【特許請求の範囲】
【請求項１】
モータと前記モータに電流を流すソレノイドスイッチとを備えたスタータであって、
前記モータは、
磁気回路を形成する円筒状のヨークと、
前記ヨークの内側に設けられ、前記ヨークからの磁束により回転トルクを発生する電機子と、
前記電機子の軸である電機子軸の端部に設けられ、外周に沿って摺動面を有する整流子と、
前記摺動面に摺接するブラシと、
前記ブラシと前記ブラシを前記摺動面に押圧するスプリングとを収納するブラシホルダと、
前記電機子軸が貫通する開口を中央に備えた円板状で、前記ブラシホルダが取り付けられる取付面を有し、前記電機子軸に対して垂直に設けられたベースと、を備え、
前記開口を取り囲む前記ベースの内周もしくは前記ベースの外周から、前記ブラシホルダが取り付けられていない領域に切り込まれた２本の切り込み部に挟まれた部分が、第１の曲げ部で前記ブラシホルダが取り付けられた側に折り曲げられ、前記第１の曲げ部で折り曲げられた前記部分は第２の曲げ部で前記開口の方向もしくは前記開口と反対の方向に折り曲げられて折り曲げ面が形成され、
前記第２の曲げ部は、前記第２の曲げ部の一部を切り欠いた切欠き部を有し、前記切欠き部における切り欠かれた箇所を突出させた突出部を備えており、
前記折り曲げ面に隣接して設けられた前記ブラシと一端で接続されたリードワイヤの他端が、前記折り曲げ面と接続されていることを特徴とするスタータ。
【請求項２】
モータと前記モータに電流を流すソレノイドスイッチとを備えたスタータであって、
前記モータは、
磁気回路を形成する円筒状のヨークと、
前記ヨークの内側に設けられ、前記ヨークからの磁束により回転トルクを発生する電機子と、
前記電機子の軸である電機子軸の端部に設けられ、外周に沿って摺動面を有する整流子と、
前記摺動面に摺接するブラシと、
前記ブラシと前記ブラシを前記摺動面に押圧するスプリングとを収納するブラシホルダと、
前記電機子軸が貫通する開口を中央に備えた円板状で、前記ブラシホルダが取り付けられる取付面を有し、前記電機子軸に対して垂直に設けられたベースと、を備え、
前記開口を取り囲む前記ベースの内周もしくは前記ベースの外周から、前記ブラシホルダが取り付けられていない領域に切り込まれた２本の切り込み部に挟まれた部分が、第１の曲げ部で前記ブラシホルダが取り付けられた側に折り曲げられ、前記第１の曲げ部で折り曲げられた前記部分は第２の曲げ部で前記開口の方向もしくは前記開口と反対の方向に折り曲げられて折り曲げ面が形成され、
前記第２の曲げ部に、前記電機子軸に平行な方向に突出させて反対方向に折り返された折り返し部が形成され、
前記折り曲げ面に隣接して設けられた前記ブラシと一端で接続されたリードワイヤの他端が、前記折り曲げ面と接続されていることを特徴とするスタータ。
【請求項３】
前記折り曲げ面を含む平面は前記電機子軸に対して垂直であることを特徴とする請求項１または請求項２に記載のスタータ。
【請求項４】
前記リードワイヤの伸長する方向と前記取付面とは平行であることを特徴とする請求項１から請求項３のいずれか１項に記載のスタータ。
【発明の詳細な説明】
【技術分野】
【０００１】
本願は、スタータに関するものである。
【背景技術】
【０００２】
スタータは、自動車などに搭載され、エンジンを始動させるための装置である。一般に、エンジン用スタータにモータとして設けられた直流電動機では、電機子の軸である電機子軸の端部に設置された整流子と、整流子の外周に設けられた摺動面に摺接するブラシとで整流作用を得ている。ブラシは、ブラシホルダに摺動自在に収納されている。ブラシは、ブラシとともにブラシホルダに収納されたスプリングによって、摺動面に押圧されながら摺接する。ブラシホルダと、ブラシホルダが取り付けられたベースとを備えたブラシ保持装置を有する直流電動機が開示されている（例えば特許文献１参照）。
【０００３】
開示された構成では、４個のブラシホルダが１枚のベースにスライド溝を介して組み付けられている。通常、４個のブラシホルダを設けた場合、２個のブラシホルダには正極側のブラシが収納され、残りの２個のブラシホルダには負極側のブラシが収納される。負極側のブラシと一端で接続されたリードワイヤの他端に連なる側部は、ベースと接続され、接地されている。正極側のブラシと一端で接続されたリードワイヤの他端は、直流電動機の外部に設けられた電源に接続される。ブラシ保持装置は、直流電動機の筐体の一部であるリヤブラケットに組み付けられる。
【先行技術文献】
【特許文献】
【０００４】
【特許文献１】特開２００９−７１９２５号公報
【発明の概要】
【発明が解決しようとする課題】
【０００５】
上記特許文献１においては、組み付け工数を低減することはできる。しかしながら、リヤブラケットにはリードワイヤを外部の電源と接続するために引き出す開口部が設けられており、開口部を介してブラシ保持装置は外部と連通しているため、開口部からリヤブラケットおよびベースを伝って侵入した水分がベースに接続されたリードワイヤに付着し、その後水分はリードワイヤに接続されたブラシへと移動していた。リードワイヤには通常撚線が用いられるため、毛細管現象によって、リードワイヤからブラシへの水分の移動は容易に行われる。水分がブラシに到達すると、水分によりブラシに錆が発生し、錆によりブラシがブラシホルダに固着するという課題があった。
【０００６】
また、開口部から侵入した水分だけでなく、結露によりベースの表面に付着した水滴がベースに接続されたリードワイヤにも付着していたため、この水分に起因して生じた錆によりブラシがブラシホルダに固着するという課題もあった。
【０００７】
本願は前記のような課題を解決するためになされたものであり、リードワイヤへの水分の付着を抑制したスタータを得ることを目的としている。
【課題を解決するための手段】
【０００８】
本願に開示されるスタータは、モータとモータに電流を流すソレノイドスイッチとを備えたスタータであって、モータは、磁気回路を形成する円筒状のヨークと、ヨークの内側に設けられ、ヨークからの磁束により回転トルクを発生する電機子と、電機子の軸である電機子軸の端部に設けられ、外周に沿って摺動面を有する整流子と、摺動面に摺接するブラシと、ブラシとブラシを摺動面に押圧するスプリングとを収納するブラシホルダと、電機子軸が貫通する開口を中央に備えた円板状で、ブラシホルダが取り付けられる取付面を有し、電機子軸に対して垂直に設けられたベースとを備え、開口を取り囲むベースの内周もしくはベースの外周から、ブラシホルダが取り付けられていない領域に切り込まれた２本の切り込み部に挟まれた部分が、第１の曲げ部でブラシホルダが取り付けられた側に折り曲げられ、第１の曲げ部で折り曲げられた部分は第２の曲げ部で開口の方向もしくは開口と反対の方向に折り曲げられて折り曲げ面が形成され、第２の曲げ部は、第２の曲げ部の一部を切り欠いた切欠き部を有し、切欠き部における切り欠かれた箇所を突出させた突出部を備えており、折り曲げ面に隣接して設けられたブラシと一端で接続されたリードワイヤの他端が、折り曲げ面と接続されているものである。
【発明の効果】
【０００９】
本願に開示されるスタータによれば、リードワイヤへの水分の付着が抑制される。
【図面の簡単な説明】
【００１０】
【図１】実施の形態１に係るスタータの構成を示す側面図である。
【図２】実施の形態１に係るスタータが備えたブラシ保持装置の外観を示す斜視図である。
【図３】実施の形態１に係るスタータが備えるベースの折り曲げ面形成前の平面図である。
【図４】実施の形態１に係るスタータが備えた別のブラシ保持装置の外観を示す斜視図である。
【図５】実施の形態１に係るスタータが備える別のベースの折り曲げ面形成前の平面図である。
【図６】実施の形態１に係るスタータが備えた別のブラシ保持装置の外観を示す斜視図である。
【図７】実施の形態２に係るスタータが備えたブラシ保持装置の外観を示す斜視図である。
【図８】実施の形態３に係るスタータが備えたブラシ保持装置の外観を示す斜視図である。
【図９】実施の形態３に係るスタータが備えた別のブラシ保持装置の外観を示す斜視図である。
【図１０】実施の形態４に係るスタータが備えたブラシ保持装置の外観を示す斜視図である。
【図１１】実施の形態５に係るスタータが備えたブラシ保持装置の外観を示す斜視図である。
【発明を実施するための形態】
【００１１】
以下、本願の実施の形態によるスタータを図に基づいて説明する。各図において同一、または相当部材、部位については同一符号を付して説明する。
【００１２】
実施の形態１．
図１はスタータ１００の構成を示す側面図である。ただし筐体の一部を切り欠いて、スタータ１００の内部を示している。スタータ１００は、自動車などに搭載され、エンジンを始動させるための装置である。スタータ１００は、モータ２と、モータ２に電流を流すソレノイドスイッチ１と、スタータ１００の筐体の一部であるフロントブラケット３、リヤブラケット４とを備える。通しボルト５は、フロントブラケット３とリヤブラケット４とを連結する。フロントブラケット３とリヤブラケット４の連結により、モータ２はフロントブラケット３とリヤブラケット４に挟持されて、固定される。フロントブラケット３の内部には、モータ２に連結され、モータ２で発生する回転力をエンジン（図示せず）に伝達する伝達機構部（図示せず）が搭載されている。以下、モータ２の構成について説明する。
【００１３】
モータ２は、ヨーク６、電機子８、整流子１１、およびブラシ１２を備える。円筒状のヨーク６は、内壁に磁石７を備え、磁気回路を形成する。ヨーク６の内側に設けられる電機子８は、電機子コイル９を備え、ヨーク６からの磁束により回転トルクを発生する。整流子１１は、電機子８の軸である電機子軸１０の端部に設けられ、外周に沿って摺動面１１ａを有する。ブラシ１２は、摺動面１１ａに摺接する。モータ２は、整流子１１とブラシ１２とから整流作用を得ている。ヨーク６は、一端側の開口部でリヤブラケット４と嵌合し、他端側の開口部でフロントブラケット３と嵌合する。リヤブラケット４の内側には軸受１３が設けられ、電機子軸１０は軸受１３において回転自在に支持される。
【００１４】
ブラシ１２の設置について説明する。スタータ１００には正極側のブラシと負極側のブラシが設けられるが、ここでは図１に示された極を指定しないブラシ１２で説明する。ブラシ１２は、ブラシ１２を摺動面１１ａに押圧するスプリング１４とともにブラシホルダ１５に収納される。ブラシホルダ１５は板状のベース１６に取り付けられ、ベース１６はリヤブラケット４に電機子軸１０に対して垂直に設けられる。ブラシホルダ１５とベース１６とから、ブラシ保持装置１７が構成される。
【００１５】
ブラシ保持装置１７の構成について説明する。図２は実施の形態１に係るスタータ１００が備えたブラシ保持装置１７の外観を示す斜視図である。電機子軸１０（図２の一点鎖線）が貫通する開口１６ａを中央に備えた円板状のベース１６は、４個のブラシホルダ１５ａ、１５ｂ、１５ｃ、１５ｄが取り付けられる取付面１６ｂを有し、導電性を備えた金属で作製される。なお、ベース１６に取り付けられるブラシホルダ１５の個数は４個に限るものではない。ブラシホルダ１５は、ブラシホルダ１５の底部とベース１６から切り起こされた部位とを嵌め合って取り付けられる。２個のブラシホルダ１５ａ、１５ｂには正極側のブラシ１２ａが収納され、残りの２個のブラシホルダ１５ｃ、１５ｄには負極側のブラシ１２ｂが収納される。
【００１６】
本願の要部であるリードワイヤ１８がベース１６と接続される折り曲げ面１６ｅについて説明する。図３は、実施の形態１に係るスタータ１００が備えるベース１６の平面図である。ただし折り曲げ面１６ｅを形成する前の図で、破線で囲まれた４箇所はブラシホルダ１５が取り付けられる領域を示している。開口１６ａを取り囲むベース１６の内周から、ブラシホルダ１５が取り付けられていない領域に切り込まれた２本の切り込み部１６ｆに挟まれた部分が、第１の曲げ部１６ｃでブラシホルダ１５が取り付けられた側に折り曲げられる。さらに、第１の曲げ部１６ｃで折り曲げられた部分は、第２の曲げ部１６ｄで開口１６ａの方向に折り曲げられて折り曲げ面１６ｅが形成される。折り曲げられたベース１６の一部の形状は、図２に示すように、鉤型の形状になる。
【００１７】
ブラシホルダ１５ｃ、１５ｄのそれぞれの側面に設けられた切欠き１５ｅを介して、リードワイヤ１８の一端は折り曲げ面１６ｅに隣接して設けられたブラシ１２ｂと接続される。リードワイヤ１８の他端に連なる側部は、折り曲げ面１６ｅと溶接部１８ａで溶接して接続される。リードワイヤ１８は溶接部１８ａでベース１６に接地される。ベース１６の表面である取付面１６ｂと溶接部１８ａとは離間している。なお、正極側のブラシ１２ａと一端で接続されたリードワイヤ（図示せず）の他端は、モータ２の外部に設けられたバッテリ（図示せず）に接続される。
【００１８】
取付面１６ｂと溶接部１８ａとが離間しているため、ベース１６の表面を伝って侵入した水分およびベースの表面で結露した水分の、溶接部１８ａを介したリードワイヤ１８へ付着は抑制される。また、折り曲げ面１６ｅを含む平面は電機子軸１０に対して垂直な面であるため、リードワイヤ１８を溶接する際、電機子軸１０に平行な方向から溶接部１８ａに対して溶接用電極を押し当てることができる。この溶接用電極を押し当てる方向は、取付面１６ｂにリードワイヤ１８を溶接していた従来の位置での溶接の場合と同じ方向であるため、設備の変更を必要とせず、従来と同様にリードワイヤ１８を溶接することができる。また、リードワイヤ１８の伸長する方向と取付面１６ｂとは平行であるため、リードワイヤ１８を取付面１６ｂに溶接するときと比較して、リードワイヤ１８の長さは短縮できる。また、溶接部１８ａが設けられる領域が折り曲げ面１６ｅの領域に限定されるため、リードワイヤ１８を溶接する際に溶接用電極を押し当てる位置の位置決めが容易である。
【００１９】
次に、スタータ１００の動作について説明する。ソレノイドスイッチ１がオンされると、バッテリ（図示せず）からブラシ１２、整流子１１を介して電機子コイル９に電流が供給される。電機子コイル９に流れる電流がヨーク６に設置された磁石７からの磁束と鎖交することで、電機子コイル９に回転トルクが発生し、電機子８が回転する。電機子８が回転すると、電機子８と一体的に配設された整流子１１と、整流子１１の摺動面１１ａを摺動するブラシ１２とで整流が行われる。電機子８の回転により、電機子８に連結された伝達機構部（図示せず）も回転し、伝達機構部はエンジン（図示せず）に連結されたリングギヤ（図示せず）と噛合ってエンジンを始動させる。
【００２０】
なお、図２に示したように、溶接部１８ａを折り曲げ面１６ｅの一方の側であるブラシホルダ１５の搭載側に設けたがこれに限るものではない。図４は、実施の形態１に係るスタータ１００が備えた別のブラシ保持装置１７の外観を示す斜視図である。図４に示すように、溶接部１８ａを折り曲げ面１６ｅの他方の側に設けても構わない。他方の側に設けても溶接部１８ａと取付面１６ｂとは離間しているため、溶接部１８ａを介したリードワイヤ１８への水分の付着は抑制される。また、図３に示したように、ベース１６の内周から２本の切り込み部１６ｆを設けたがこれに限るものではない。図５は、実施の形態１に係るスタータ１００が備える別のベース１６の折り曲げ面１６ｅ形成前の平面図である。図５に示すように、ベース１６の外周から２本の切り込み部１６ｆを設けても構わない。２本の切り込み部１６ｆに挟まれた部分が、第１の曲げ部１６ｃでブラシホルダ１５が取り付けられた側に折り曲げられる。さらに、第１の曲げ部１６ｃで折り曲げられた部分は、第２の曲げ部１６ｄで開口１６ａと反対の方向に折り曲げられて折り曲げ面１６ｅが形成される。図６は、実施の形態１に係るスタータ１００が備えた別のブラシ保持装置１７の外観を示す斜視図である。外周から切り込み部１６ｆを設けても、図６に示すように、内周から切り込み部１６ｆを設けた場合と同様に折り曲げ面１６ｅを形成できる。
【００２１】
以上のように、このスタータ１００において、一端でブラシ１２と接続されたリードワイヤ１８の他端は折り曲げ面１６ｅと溶接部１８ａで溶接して接続され、ベース１６の取付面１６ｂと溶接部１８ａとは離間しているため、ベース１６の表面を伝って侵入した水分およびベースの表面で結露した水分の、リードワイヤ１８への付着を抑制することができる。また、ベース１６の一部を折り曲げて鉤型の形状に加工した折り曲げ面１６ｅに溶接部１８ａを設けており、従来のベース１６を利用できるため、容易に取付面１６ｂと離間した折り曲げ面１６ｅを作製することができる。また、折り曲げ面１６ｅを含む平面が電機子軸１０に対して垂直な面である場合、溶接用電極の押し当て方向が従来と同じであるため、製造設備および製造工程を変更することなく、従来の溶接位置での溶接の場合と同様にリードワイヤ１８を溶接することができる。また、リードワイヤ１８の伸長する方向と取付面１６ｂとが平行である場合、リードワイヤ１８を取付面１６ｂに溶接する場合と比較してリードワイヤ１８の長さが短縮できるため、リードワイヤ１８の材料費を抑制することができる。また、溶接部１８ａが設けられる領域が折り曲げ面１６ｅに限定され、リードワイヤ１８を溶接する際に溶接用電極を押し当てる位置の位置決めが容易であるため、製造工程を簡略化することができる。
【００２２】
実施の形態２．
実施の形態２に係るスタータ１００について説明する。図７はスタータ１００が備えたブラシ保持装置１７の外観を示す斜視図である。実施の形態２に係るスタータ１００は、折り曲げ面１６ｅの位置が実施の形態１とは異なる構成になっている。
【００２３】
実施の形態２では、第２の曲げ部１６ｄの位置を変えて、取付面１６ｂから折り曲げ面１６ｅまでの高さが、実施の形態１と比較して高くなるように折り曲げ面１６ｅが設けられている。折り曲げられたベース１６の一部の形状は、実施の形態１と同様に鉤型の形状で、組立性を変更することなく、第２の曲げ部１６ｄの折り曲げで設けられた折り曲げ面１６ｅに、溶接部１８ａが設けられる。溶接部１８ａと取付面１６ｂとがさらに離間しているため、ベース１６の表面を伝って侵入した水分およびベースの表面で結露した水分の、溶接部１８ａを介したリードワイヤ１８への付着はさらに抑制される。なお、折り曲げ面１６ｅを含む平面は電機子軸１０（図７の一点鎖線）に対して垂直な面であるため、設備の変更を必要とせずに従来の位置（取付面１６ｂ）での溶接の場合と同様にリードワイヤ１８を溶接することができる。
【００２４】
以上のように、このスタータ１００は溶接部１８ａと取付面１６ｂとがさらに離間して設けられているため、ベース１６の表面を伝って侵入した水分およびベースの表面で結露した水分の、リードワイヤ１８へ付着をさらに抑制することができる。
【００２５】
実施の形態３．
実施の形態３に係るスタータ１００について説明する。図８はスタータ１００が備えたブラシ保持装置１７の外観を示す斜視図である。実施の形態３に係るスタータ１００は、取付面１６ｂから折り曲げ面１６ｅの間のベース１６の一部に、切欠き部１９を設けた構成になっている。
【００２６】
取付面１６ｂから折り曲げ面１６ｅの間のベース１６の一部である第１の曲げ部１６ｃと第２の曲げ部１６ｄに、切欠き部１９が設けられている。第１の曲げ部１６ｃにおいては、両側面のそれぞれに切欠き部１９ａが設けられている。第２の曲げ部１６ｄにおいては、中央に、第２の曲げ部１６ｄの一部をくり抜いた切欠き部１９ｂが設けられている。切欠き部１９ａおよび切欠き部１９ｂを設けることで、ベース１６の取付面１６ｂから溶接部１８ａに至る水分の経路が縮小されるため、溶接部１８ａを介したリードワイヤ１８への水分の付着はさらに抑制される。切欠き部１９ａおよび切欠き部１９ｂは第１の曲げ部１６ｃと第２の曲げ部１６ｄに設けられているため、第１の曲げ部１６ｃと第２の曲げ部１６ｄを折り曲げる前に切欠き部１９ａおよび切欠き部１９ｂを形成しておくことで、これらを折り曲げる加工は容易となり、加工性は向上する。
【００２７】
なお、第１の曲げ部１６ｃには両側面、第２の曲げ部１６ｄには中央に切欠き部１９を設けたが、切欠き部１９を設ける位置はこれに限るものではなく、第１の曲げ部１６ｃの中央、第２の曲げ部１６ｄの両側面に設けても構わない。また、第１の曲げ部１６ｃと第２の曲げ部１６ｄの双方に切欠き部１９を設けたが、第１の曲げ部１６ｃと第２の曲げ部１６ｄの少なくとも一方に切欠き部１９を設けても構わない。また、図９は実施の形態３に係るスタータ１００が備えた別のブラシ保持装置１７の外観を示す斜視図である。図９に示すように、第１の曲げ部１６ｃと第２の曲げ部１６ｄの間のベース１６の一部に切欠き部１９を設けても構わない。
【００２８】
以上のように、このスタータ１００において、取付面１６ｂから折り曲げ面１６ｅの間のベース１６の一部に切欠き部１９を設けることで、ベース１６の取付面１６ｂから溶接部１８ａに至る水分の経路が縮小されるため、溶接部１８ａを介したリードワイヤ１８への水分の付着をさらに抑制することができる。切欠き部１９を第１の曲げ部１６ｃと第２の曲げ部１６ｄに設けた場合、第１の曲げ部１６ｃと第２の曲げ部１６ｄを折り曲げる加工は容易となるため、加工性を向上させることができる。
【００２９】
実施の形態４．
実施の形態４に係るスタータ１００について説明する。図１０はスタータ１００が備えたブラシ保持装置１７の外観を示す斜視図である。実施の形態４に係るスタータ１００は、第２の曲げ部１６ｄに設けた切欠き部１９ｂが実施の形態３とは異なる構成になっている。
【００３０】
実施の形態３では、第２の曲げ部１６ｄにおいて、中央に、第２の曲げ部１６ｄの一部をくり抜いた切欠き部１９ｂを設けたが、実施の形態４では切り欠いた箇所をくり抜くのではなく、切欠き部１９ｂに加えて、切り欠かれた箇所が突出するように突出部２０を設けている。突出部２０を設けることでも、ベース１６の取付面１６ｂから溶接部１８ａに至る水分の経路が制限されるため、溶接部１８ａを介したリードワイヤ１８への水分の付着は抑制される。また、突出部２０とすることで、くり抜いた部分に相当する不要な部材を廃棄する必要がないため、製造工程は簡略化される。
【００３１】
なお、第２の曲げ部１６ｄにのみ突出部２０を設ける構成としたがこれに限るものではなく、第１の曲げ部１６ｃに設けた切欠き部１９ａに突出部を設けても構わない。また、突出部２０は、切欠き部１９ｂとは逆の方向に曲げて設けても構わない。突出部２０を曲げて設けることで、突出部２０に水分が付着しても水分を溶接部１８ａから遠ざけておくことができる。
【００３２】
以上のように、このスタータ１００において、切り欠いた部分を突出部２０とすることで、ベース１６の取付面１６ｂから溶接部１８ａに至る水分の経路が制限されるため、溶接部１８ａを介したリードワイヤ１８への水分の付着を抑制することができる。また、切り欠いた部分を突出部２０とすることで、切り欠いていた部分に相当する不要な部材を廃棄する必要がないため、製造工程を簡略化することができる。
【００３３】
実施の形態５．
実施の形態５に係るスタータ１００について説明する。図１１はスタータ１００が備えたブラシ保持装置１７の外観を示す斜視図である。実施の形態５に係るスタータ１００は、第２の曲げ部１６ｄの形状が実施の形態１とは異なる構成になっている。
【００３４】
実施の形態１では、第２の曲げ部１６ｄは開口１６ａの方向にそのまま折り曲げて設けたが、実施の形態５では電機子軸１０に平行な方向に突出する折り返し部２１が形成されるように、第２の曲げ部１６ｄを折り返した形状で設けている。折り返し部２１を設けることで、ベース１６の取付面１６ｂから溶接部１８ａに至る水分の経路が延長されるとともに、折り返し部２１が障壁となるため、溶接部１８ａを介したリードワイヤ１８への水分の付着は抑制される。
【００３５】
以上のように、このスタータ１００において、第２の曲げ部１６ｄを折り返して折り返し部２１を設けることで、ベース１６の取付面１６ｂから溶接部１８ａに至る水分の経路が延長され、また折り返し部２１が障壁となるため、溶接部１８ａを介したリードワイヤ１８への水分の付着を抑制することができる。
【００３６】
また本願は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。
従って、例示されていない無数の変形例が、本願明細書に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００３７】
１  ソレノイドスイッチ、２  モータ、３  フロントブラケット、４  リヤブラケット、５  通しボルト、６  ヨーク、７  磁石、８  電機子、９  電機子コイル、１０  電機子軸、１１  整流子、１１ａ  摺動面、１２  ブラシ、１３  軸受、１４  スプリング、１５  ブラシホルダ、１５ｅ  切欠き、１６  ベース、１６ａ  開口、１６ｂ  取付面、１６ｃ  第１の曲げ部、１６ｄ  第２の曲げ部、１６ｅ  折り曲げ面、１６ｆ  切り込み部、１７  ブラシ保持装置、１８  リードワイヤ、１８ａ  溶接部、１９  切欠き部、２０  突出部、２１  折り返し部、１００  スタータ
【図１】
0006851441.tif 000002
【図２】
0006851441.tif 000003
【図３】
0006851441.tif 000004
【図４】
0006851441.tif 000005
【図５】
0006851441.tif 000006
【図６】
0006851441.tif 000007
【図７】
0006851441.tif 000008
【図８】
0006851441.tif 000009
【図９】
0006851441.tif 000010
【図１０】
0006851441.tif 000011
【図１１】
0006851441.tif 000012